(57)【要約】【課題】逆転運転中の軸受部の潤滑不良による軸の焼き付きを防止し信頼性の向上を図ることができるとともに、品質の向上を図ることができるスクロール圧縮機を提供する。【解決手段】この発明に係るスクロール圧縮機１００は、圧縮機構部４０が、固定スクロール１と、揺動スクロール２と、オルダムリング９と、揺動スクロール２を駆動する主軸４と、密閉容器１０に固定され、主軸４を半径方向に支えるとともに固定スクロール１と締結されて結合されるガイドフレーム１５と、を備え、電動機２０の逆転運転時に、揺動スクロール２のボス部空間の圧力が密閉容器１０内の圧力よりも低くなり、その差圧により冷凍機油１０ｅが圧縮機構部４０に給油されるように、揺動スクロール２の台板部に揺動スクロール２のボス部空間と、膨張行程の圧縮室とを連通させる連通穴を設けたものである。【選択図】図１
2011111969.tif 000002
【特許請求の範囲】
【請求項１】
密閉容器内に、圧縮機構部と、前記圧縮機構部を駆動する電動機と、前記圧縮機構部を潤滑する冷凍機油とを備え、前記密閉容器内が高圧のスクロール圧縮機であって、
前記圧縮機構部は、
台板部と、前記台板部の一方の面に板状渦巻歯が形成されている固定スクロールと、
台板部と、前記台板部の一方の面に前記固定スクロールの前記板状渦巻歯と同一形状の板状渦巻が設けられ、前記固定スクロールの前記板状渦巻歯と組み合わされて圧縮室を形成している揺動スクロールと、
前記揺動スクロールの自転を防止するオルダムリングと、
前記電動機に固定されて、前記揺動スクロールを駆動する主軸と、
前記密閉容器に固定され、前記主軸を半径方向に支えるとともに前記固定スクロールと締結されて結合されるガイドフレームと、を備え、
前記電動機の逆転運転時に、前記揺動スクロールのボス部空間の圧力が前記密閉容器内の圧力よりも低くなり、その差圧により前記冷凍機油が前記圧縮機構部に給油されるように、前記揺動スクロールの前記台板部に前記揺動スクロールのボス部空間と、膨張行程の前記圧縮室とを連通させる連通穴を設けたことを特徴とするスクロール圧縮機。
【請求項２】
前記電動機の正転運転時に、前記圧縮室から前記連通穴を介して前記ボス部空間へ冷媒が流れ込まないように、前記連通穴に連通逆止弁を設けることを特徴とする請求項１記載のスクロール圧縮機。
【請求項３】
前記圧縮室内の中間圧を背圧として浮上し、前記揺動スクロールを前記固定スクロールへ押し付けるコンプライアントフレームを備えたことを特徴とする請求項１又は請求項２記載のスクロール圧縮機。
【請求項４】
前記揺動スクロールの前記台板部における前記連通穴の位置は、前記主軸の一回転のうちの所定の回転範囲で前記連通穴が前記ボス部空間と連通し、且つ前記電動機の正転運転時に前記圧縮室の圧縮途中の冷媒が前記背圧空間へ流入しない位置（圧縮室の圧縮途中の圧力がボス部空間圧力より小さくなる位置）であることを特徴とする請求項１乃至３のいずれかに記載のスクロール圧縮機。
【発明の詳細な説明】
【技術分野】
【０００１】
この発明は、スクロール圧縮機に関するものである。
【背景技術】
【０００２】
従来、僅かな外乱に起因する揺動スクロールのばたつきでコンフ゜ライアントフレームおよび揺動スクロールが容易にリリーフするという不安定さを改善することを目的として、密閉容器内に設けられそれぞれの板状渦巻歯が相互間に圧縮室を形成するように噛み合わされた固定スクロ−ル及び揺動スクロ−ルと、この揺動スクロ−ルを軸方向に支持すると共にこの揺動スクロ−ルを駆動する主軸を軸方向に支持するコンプライアントフレ−ムと、このコンプライアントフレ−ムを半径方向に支持し、密閉容器に固定されたガイドフレ−ムとを備え、コンプライアントフレ−ムのガイドフレ−ムに対する軸方向の移動により揺動スクロ−ルを軸方向に移動可能としたスクロ−ル圧縮機において、コンプライアントフレ−ムとガイドフレ−ム間にフレ−ム空間を形成し、フレ−ム空間内を吸入圧より高く、吐出圧以下の圧力としたことを特徴とするスクロ−ル圧縮機が提案されている（例えば、特許文献１参照）。
【先行技術文献】
【特許文献】
【０００３】
【特許文献１】特開２０００−１６１２５４号公報
【発明の概要】
【発明が解決しようとする課題】
【０００４】
密閉容器内部が高圧（吐出圧）で、圧縮機構部が電動機の上に配置される縦型のスクロール圧縮機は、密閉容器底部の冷凍機油が貯留する油だめが、高圧（吐出圧）になっている。密閉容器内の上部に位置する圧縮機構部にこの高圧の冷凍機油を供給するために、主軸の圧縮機構部側付近に高圧（吐出圧）より圧力の低い、例えば、中間圧の空間（ボス部空間という、追って説明する）を形成する。そして、高圧の油だめと中間圧のボス部空間との間に差圧により、高圧の冷凍機油は主軸の内部を上昇して中間圧のボス部空間に供給される。この給油方式を差圧給油方式という。
【０００５】
例えば、ユニット（例えば、空気調和機）据付時の配線ミス（ユニットの端子への配線ミス（三相電源の相の順序がずれてしまう所謂逆相））があると、通常は逆相防止リレーが作動してスクロール圧縮機には電力が供給されない。
【０００６】
しかし、上記のユニット据付時の配線ミスで逆相防止リレーが作動してスクロール圧縮機が始動しない場合、逆相防止リレーを短絡もしくは外して強引にスクロール圧縮機を始動させることがある。
【０００７】
三相電源の相の順序がずれてしまう所謂逆相でスクロール圧縮機が始動すると、正回転の反対の逆転運転を行うことになる。
【０００８】
差圧給油方式のスクロール圧縮機が連続して逆転運転すると、圧縮機構部は、冷媒を圧縮するのではなく、冷媒を膨張させる動作となる。
【０００９】
圧縮機構部が冷媒を膨張させる動作の場合は、密閉容器内は圧力が上がらないため、油だめとボス部空間との間に差圧が発生しない。そのため、圧縮機構部の軸受の潤滑不良により主軸が焼き付くという課題がある。
【００１０】
この発明は、上記のような課題を解決するためになされたもので、逆転運転中の軸受部の潤滑不良による軸の焼き付きを防止し信頼性の向上を図ることができるとともに、品質の向上を図ることができるスクロール圧縮機を提供する。
【課題を解決するための手段】
【００１１】
この発明に係るスクロール圧縮機は、密閉容器内に、圧縮機構部と、圧縮機構部を駆動する電動機と、圧縮機構部を潤滑する冷凍機油とを備え、密閉容器内が高圧のスクロール圧縮機であって、
圧縮機構部は、
台板部と、台板部の一方の面に板状渦巻歯が形成されている固定スクロールと、
台板部と、台板部の一方の面に固定スクロールの板状渦巻歯と同一形状の板状渦巻が設けられ、固定スクロールの板状渦巻歯と組み合わされて圧縮室を形成している揺動スクロールと、
揺動スクロールの自転を防止するオルダムリングと、
電動機に固定されて、揺動スクロールを駆動する主軸と、
密閉容器に固定され、主軸を半径方向に支えるとともに固定スクロールと締結されて結合されるガイドフレームと、を備え、
電動機の逆転運転時に、揺動スクロールのボス部空間の圧力が密閉容器内の圧力よりも低くなり、その差圧により冷凍機油が圧縮機構部に給油されるように、揺動スクロールの台板部にボス部空間と、膨張行程の圧縮室とを連通させる連通穴を設けたものである。
【発明の効果】
【００１２】
この発明に係るスクロール圧縮機は、電動機の逆転運転時に、揺動スクロールの背圧空間の圧力が密閉容器内の圧力よりも低くなり、その差圧により冷凍機油が圧縮機構部に給油されるように、揺動スクロールの台板部に揺動スクロールのボス部空間と、膨張行程の圧縮室とを連通させる連通穴を設けたので、逆転運転中の軸受部の潤滑不良による軸の焼き付きを防止し信頼性の向上を図ることができるとともに、品質の向上を図ることができる。
【図面の簡単な説明】
【００１３】
【図１】実施の形態１を示す図で、スクロール圧縮機１００の縦断面図。
【図２】実施の形態１を示す図で、固定スクロール１付近の縦断面図。
【図３】実施の形態１を示す図で、固定スクロール１の板状渦巻歯１ｂに直角方向から吸入圧力空間１ｇに連通する弁通路１７ｄを示す図。
【図４】実施の形態１を示す図で、吸入逆止弁組立１７の断面図。
【図５】実施の形態１を示す図で、図２のＡ部付近の拡大図。
【図６】実施の形態１を示す図で、オルダムリング９を示す図（（ａ）は平面図、（ｂ）は右側面図、（ｃ）は正面図）。
【図７】実施の形態１を示す図で、固定スクロール１の板状渦巻歯１ｂ側の平面図。
【図８】実施の形態１を示す図で、揺動スクロール２の縦断面図。
【図９】実施の形態１を示す図で、揺動スクロール２の板状渦巻歯２ｂの反対側の面の平面図。
【図１０】実施の形態１を示す図で、揺動スクロール２の板状渦巻歯２ｂ側の面の平面図。
【図１１】実施の形態１を示す図で、コンプライアントフレーム３の縦断面図。
【図１２】実施の形態１を示す図で、主軸４の縦断面図。
【図１３】実施の形態１を示す図で、ガイドフレーム１５の縦断面図。
【図１４】実施の形態１を示す図で、電動機２０の縦断面図。
【図１５】実施の形態１を示す図で、サブフレーム６の縦断面図。
【図１６】実施の形態１を示す図で、揺動スクロール２の揺動に伴う連通穴２ｋの軌跡を示す図。
【図１７】実施の形態１を示す図で、吸入完了状態を回転角度０°として、固定スクロール１に対する揺動スクロール２の相対位置および連通穴２ｋとの相関を、主軸４の回転角度０°と回転角度９０°とについて示した図。
【図１８】実施の形態１を示す図で、吸入完了状態を回転角度０°として、固定スクロール１に対する揺動スクロール２の相対位置および連通穴２ｋとの相関を、主軸４の回転角度１８０°と回転角度２７０°とについて示した図。
【図１９】実施の形態１を示す図で、吸入完了状態を回転角度０°として、固定スクロール１に対する揺動スクロール２の相対位置および連通穴２ｋとの相関を、主軸４の回転角度３６０°と回転角度４５０°とについて示した図。
【図２０】実施の形態１を示す図で、吸入完了状態を回転角度０°として、固定スクロール１に対する揺動スクロール２の相対位置および連通穴２ｋとの相関を、主軸４の回転角度５４０°と回転角度６３０°とについて示した図。
【図２１】実施の形態１を示す図で、第一の室２０ａの圧力と主軸４の回転角度との関係を示す図。
【図２２】実施の形態１を示す図で、三相誘導電動機の結線を示す図。
【図２３】実施の形態１を示す図で、単相誘導電動機の結線を示す図。
【図２４】実施の形態１を示す図で、スクロール圧縮機１００が組み込まれる空気調和機２００の冷媒回路の一例を示す図。
【図２５】実施の形態１を示す図で、空気調和機２００の冷凍サイクルのｐｈ線図（モリエル線図）。
【図２６】実施の形態２を示す図で、スクロール圧縮機３００の部分縦断面図。
【図２７】実施の形態２を示す図で、連通穴２ｎを示す揺動スクロール２の縦断面図。
【図２８】実施の形態２を示す図で、連通穴２ｎ及び連通逆止弁２ｐを示す揺動スクロール２の縦断面図。
【図２９】実施の形態２を示す図で、連通逆止弁２ｐの拡大図。
【図３０】実施の形態２を示す図で、吸入完了状態を回転角度０°として、固定スクロール１に対する揺動スクロール２の相対位置および連通穴２ｎとの相関を、主軸４の回転角度０°と回転角度９０°とについて示した図。
【図３１】実施の形態２を示す図で、吸入完了状態を回転角度０°として、固定スクロール１に対する揺動スクロール２の相対位置および連通穴２ｎとの相関を、主軸４の回転角度１８０°と回転角度２７０°とについて示した図。
【図３２】実施の形態２を示す図で、吸入完了状態を回転角度０°として、固定スクロール１に対する揺動スクロール２の相対位置および連通穴２ｎとの相関を、主軸４の回転角度３６０°と回転角度４５０°とについて示した図。
【図３３】実施の形態２を示す図で、第一の室２０ａの圧力と主軸４の回転角度との関係を示す図。
【発明を実施するための形態】
【００１４】
実施の形態１．
先ず、本実施の形態は、以下に示す点に特徴がある。
（１）一般的なスクロール圧縮機は、逆転運転時に吐出空間圧力Ｐｄが吸入空間圧力Ｐｓより大きくならないため、主軸の上端面と下端面に差圧が生じないので軸受部に差圧給油出来ず、主軸が焼き付いてしまう。しかし、本実施の形態のスクロール圧縮機は、逆転運転時に吐出差圧給油方式で各軸受部に給油が出来るように、主軸上端部を含む揺動スクロールのボス部空間へ吐出空間圧力より低い圧力（膨張行程の渦巻内の圧力）を引き込む為に揺動スクロールの台板部にボス部空間への連通穴を設ける。そうすることで逆転運転中に主軸の上端面と下端面と差圧が生じ、差圧給油することが可能となり各軸受部に給油することができ、軸焼付きを防ぎ信頼性の向上を図ることが出来る。
（２）本実施の形態のスクロール圧縮機において、逆転運転時に軸受部に差圧給油が出来るように揺動軸受部を含む揺動スクロールのボス部空間へ吐出空間圧力より低い圧力（膨張行程の渦巻内の圧力）を引き込む為の揺動スクロールにボス部空間への連通穴の位置は、逆転運転時に密閉容器底部の油だめから冷凍機油が連続的に吸い上げられるので冷凍機油の枯渇防止のため３６０°常にボス部空間と連通穴が連通しないような位置、かつ正転運転時にスクロール内の圧縮途中の冷媒がボス部空間へ流入しない位置（圧縮室の圧縮途中の圧力がボス部空間圧力より小さくなる位置）に設ける。そうすることで逆転運転中の油枯渇を防ぎ信頼性の向上を図ることが出来る。また、正転運転時の圧縮ガスのボス部空間への流出を防ぐことができ、正転運転時の性能低下防止をすることが出来る。
（３）本実施の形態のスクロール圧縮機は、固定スクロ−ルの台板部の板状渦巻歯と反対側の面で、吸入圧力空間に対応する位置に、リリーフ弁と、弁押えとを備えるリリーフ弁組立が設けられている。吸入逆止弁組立を備えるスクロール圧縮機が、圧縮室に液冷媒が満たされた状態のときに、何らかの理由で正回転の反対の逆転運転始動すると、液圧縮によるパンピング圧が発生する。パンピング圧により、固定スクロ−ルの板状渦巻歯がずれることでメカがロックするか、もしくは圧縮性能が低下する。リリーフ弁組立は、圧縮室で液圧縮が発生する場合に、液冷媒を圧縮室の外部（密閉容器の内部空間）に逃がして液圧縮によるパンピング圧の発生を抑制する。
【００１５】
図１乃至図２５は実施の形態１を示す図で、図１はスクロール圧縮機１００の縦断面図、図２は固定スクロール１付近の縦断面図、図３は固定スクロール１の板状渦巻歯１ｂに直角方向から吸入圧力空間１ｇに連通する弁通路１７ｄを示す図、図４は吸入逆止弁組立１７の断面図、図５は図２のＡ部付近の拡大図、図６はオルダムリング９を示す図（（ａ）は平面図、（ｂ）は右側面図、（ｃ）は正面図）、図７は固定スクロール１の板状渦巻歯１ｂ側の平面図、図８は揺動スクロール２の縦断面図、図９は揺動スクロール２の板状渦巻歯２ｂの反対側の面の平面図、図１０は揺動スクロール２の板状渦巻歯２ｂ側の面の平面図、図１１はコンプライアントフレーム３の縦断面図、図１２は主軸４の縦断面図、図１３はガイドフレーム１５の縦断面図、図１４は電動機２０の縦断面図、図１５はサブフレーム６の縦断面図、図１６は揺動スクロール２の揺動に伴う連通穴２ｋの軌跡を示す図、図１７は吸入完了状態を回転角度０°として、固定スクロール１に対する揺動スクロール２の相対位置および連通穴２ｋとの相関を、主軸４の回転角度０°と回転角度９０°とについて示した図、図１８は吸入完了状態を回転角度０°として、固定スクロール１に対する揺動スクロール２の相対位置および連通穴２ｋとの相関を、主軸４の回転角度１８０°と回転角度２７０°とについて示した図、図１９は吸入完了状態を回転角度０°として、固定スクロール１に対する揺動スクロール２の相対位置および連通穴２ｋとの相関を、主軸４の回転角度３６０°と回転角度４５０°とについて示した図、図２０は吸入完了状態を回転角度０°として、固定スクロール１に対する揺動スクロール２の相対位置および連通穴２ｋとの相関を、主軸４の回転角度５４０°と回転角度と６３０°とについて示した図、図２１は第一の室２０ａの圧力と主軸４の回転角度との関係を示す図、図２２は三相誘導電動機の結線を示す図、図２３は単相誘導電動機の結線を示す図、図２４はスクロール圧縮機１００が組み込まれる空気調和機２００の冷媒回路の一例を示す図、図２５は空気調和機２００の冷凍サイクルのｐｈ線図（モリエル線図）である。
【００１６】
図１に示すように、スクロール圧縮機１００は、密閉容器１０内に、少なくとも圧縮機構部４０と、電動機２０と、圧縮機構部４０と電動機２０とを連結する主軸４と、主軸４の圧縮機構部４０の反対側の端部（副軸部４ｄ（図１２参照）を支持するサブフレーム６と、密閉容器１０の底部の油だめ１０ｇに貯留される冷凍機油１０ｅと、を備える。
【００１７】
圧縮機構部４０は、少なくともそれぞれの板状渦巻歯１ｂ（図２、図７参照）、板状渦巻歯２ｂ（図８、図１０参照）が相互間に圧縮室１ｄ（図２参照）を形成するように噛み合わされる固定スクロ−ル１及び揺動スクロール２と、オルダムリング９と、コンプライアントフレーム３と、ガイドフレーム１５と、を備える。
【００１８】
以下、圧縮機構部４０の主要な構成要素について、順に説明する。
【００１９】
主に図２乃至図７を参照しながら、固定スクロール１について説明する（オルダムリング９についても言及する）。固定スクロール１は、その外周部近傍においてガイドフレーム１５にボルト（図示せず）によって締結されている。
【００２０】
図７に示すように、固定スクロール１の台板部１ａの外周部近傍には、複数の孔が開けられている（図７では、１２個）。固定スクロール１のガイドフレーム１５に対する位置を決める、二つの位置決め用孔１ｊが、略対角線上に位置する。
【００２１】
二つの位置決め用孔１ｊ以外の孔は、固定スクロール１をガイドフレーム１５にボルトにて締結するときのボルト孔１ｋで、図７ではボルト孔１ｋは１０個設けられている。これは、一例であって、ボルト孔１ｋの数は任意でよい。
【００２２】
台板部１ａの一方の面（図２において下側）には、板状渦巻歯１ｂが形成されている。
【００２３】
図７に示すように、固定スクロール１の外周部には、一対のオルダム案内溝１ｃが、固定スクロール１の中心線から所定寸法ｄ１ずれた直線上に形成されている。
【００２４】
このオルダム案内溝１ｃには、オルダムリング９の一対の固定スクロール側爪９ｃ（図６参照）が往復摺動自在に係合されている。
【００２５】
図６に示すように、オルダムリング９には同じ面に、略１８０°の位相を持つ一対の固定スクロール側爪９ｃと、一対の固定スクロール側爪９ｃと略９０°位相が異なり、略１８０°の位相を持つ一対の揺動スクロール側爪９ａが形成されている。
【００２６】
一対の揺動スクロール側爪９ａは、揺動スクロール２の揺動スクロールオルダム案内溝２ｅ（図９参照）に係合している。オルダムリング９は、揺動スクロール２の自転を防止する。
【００２７】
また、固定スクロール１の板状渦巻歯１ｂに直角方向から吸入圧力空間１ｇに連通するように弁通路１７ｄが設けられる（図３参照）。
【００２８】
固定スクロール１の板状渦巻歯１ｂに直角方向から吸入圧力空間１ｇに連通するように、吸入管１０ａ（図１、図２）が密閉容器１０を貫通して、固定スクロール１へ圧入されている。
【００２９】
また、吸入逆止弁組立１７（図４参照）が、弁通路１７ｄ（図３参照）に摺動するように設けられる。
【００３０】
吸入逆止弁組立１７は、図４に示すように、吸入逆止弁１７ａと、バネ１７ｂとからなる。吸入逆止弁１７ａは、バネ１７ｂにより吸入管１０ａの方向に閉じるように付勢されている。吸入逆止弁１７ａは、吸入管１０ａの端面に当接して止まり、シールされて冷媒の逆流を防ぐ。
【００３１】
また、高圧の冷媒ガスが吐出される吐出ポート１ｆが、固定スクロール１の台板部１ａの略中央部に形成されている（図２、図７参照）。
【００３２】
また、図７において、リリーフ穴１ｈ近傍に形成されている二つの長穴１ｍは、詳細は省くが、ここも冷媒を圧縮室１ｄに吸入する吸入口となる。
【００３３】
固定スクロール１の板状渦巻歯１ｂ（図２参照）と、揺動スクロール２の板状渦巻歯２ｂ（図３参照）が噛み合わされて、相互間に圧縮室１ｄ（図２参照）が形成される。
【００３４】
また、固定スクロール１の台板部１ａの板状渦巻歯１ｂと反対側の面で、吸入圧力空間１ｇに対応する位置に、リリーフ弁組立５０が設けられている。
【００３５】
図５に示すように、リリーフ弁組立５０は、リリーフ弁５０ａと、弁押え５０ｂとを備える。
【００３６】
固定スクロール１の台板部１ａにリリーフ穴１ｈが貫通している。リリーフ穴１ｈは、吸入圧力空間１ｇに連通する。リリーフ穴１ｈの吸入圧力空間１ｇと反対側の開口部をリリーフ弁５０ａが開閉自在に閉塞している。
【００３７】
詳細は後述するが、スクロール圧縮機１００が、圧縮室１ｄに液冷媒が満たされた状態のときに、何らかの理由で正回転の反対の逆転運転始動すると、液圧縮によるパンピング圧が発生する。パンピング圧により、固定スクロール１の板状渦巻歯１ｂがずれることでメカがロックするか、もしくは圧縮性能が低下する。リリーフ弁組立５０は、圧縮室１ｄで液圧縮が発生する場合に、液冷媒を圧縮室１ｄの外部（密閉容器１０の内部空間）に逃がして液圧縮によるパンピング圧の発生を抑制する。
【００３８】
図８乃至図１０を参照しながら、揺動スクロール２について説明する。揺動スクロール２は、台板部２ａの一方の面に固定スクロール１の板状渦巻歯１ｂと実質的に同一形状の板状渦巻歯２ｂが設けられており、固定スクロール１の板状渦巻歯１ｂと組み合わされて圧縮室１ｄ（図２参照）を形成している。
【００３９】
図８に示すように、台板部２ａの板状渦巻歯２ｂと反対側の面の略中心部に、中空円筒状のボス部２ｆが形成されており、主軸４上端の揺動軸部４ｂと回転自在に係合している。
【００４０】
また、台板部２ａの板状渦巻歯２ｂと反対側の面に、コンプライアントフレーム３のスラスト軸受３ａと圧接摺動可能なスラスト面２ｄが形成されている。
【００４１】
図９に示すように、台板部２ａの外周部には、固定スクロール１のオルダム案内溝１ｃと９０度の位相差を持つ一対のオルダム案内溝２ｅが、ほぼ一直線上に二個形成されている。このオルダム案内溝２ｅに、オルダムリング９の揺動スクロール側爪９ａ（図６参照）が往復摺動自在に係合している。
【００４２】
また、台板部２ａには、圧縮室１ｄとスラスト面２ｄとを連通させる抽出孔２ｊが設けられ、圧縮途中の冷媒ガスを抽出してスラスト面２ｄに導く構造となっている。
【００４３】
さらに、台板部２ａには、圧縮室１ｄとボス部空間２ｈとを連通させる連通穴２ｋが設けられる（図８、図１０参照）。この圧縮室１ｄとボス部空間２ｈとを連通させる連通穴２ｋが、本実施の形態において最も重要な構成要素である。
【００４４】
詳細は後述するが、スクロール圧縮機１００の逆転運転時に、揺動スクロール２のボス部空間２ｈを油だめ１０ｇ（密閉容器１０内部）よりも低圧にして、冷凍機油１０ｅを油だめ１０ｇから主軸４の中空空間４ｇを経てボス部空間２ｈに導くために、連通穴２ｋは設けられる。
【００４５】
図１１を参照しながら、コンプライアントフレーム３について説明する。コンプライアントフレーム３は、その外周部に設けられた上下二つの上側円筒面３ｄ、下側円筒面３ｅが、ガイドフレーム１５の内周部に設けた上側円筒面１５ａ、下側円筒面１５ｂ（図１３参照）により半径方向に支持されている。
【００４６】
コンプライアントフレーム３の略中心部には、電動機２０（図１、図１４参照）により回転駆動される主軸４を半径方向に支持する、コンプライアントフレーム３とは別部品の主軸受３ｃ及び副主軸受３ｈが嵌合されている。
【００４７】
また、スラスト軸受３ａ面内から軸方向に貫通する連絡通路３ｓが設けてあり、そのスラスト軸受側の開口部３ｋは揺動スクロール抽出孔２ｊに対面して配置されている。
【００４８】
図１２を参照しながら、主軸４について説明する。主軸４の上端部に、揺動スクロール２の揺動軸受２ｃと回転自在に係合し、主軸部４ｃと所定寸法偏芯した揺動軸部４ｂが形成されている。
【００４９】
揺動軸部４ｂの下側に、主軸バランサ４ｅが焼きばめられている。
【００５０】
また、主軸バランサ４ｅが嵌合される部分の下に、コンプライアントフレーム３の主軸受３ｃ及び副主軸受３ｈと回転自在に係合する主軸部４ｃが形成されている。
【００５１】
また、主軸部４ｃの下部は、サブフレーム６の副軸受６ａ（図１５参照）と回転自在に係合する副軸部４ｄが形成されている。この副軸部４ｄと主軸部４ｃとの間には、電動機２０の回転子８が焼きばめられている（図１参照）。
【００５２】
回転子８の上端のエンドリング８ｃ（図１４参照）に、上バランサ８ａが固定されている。また、回転子８の下端のエンドリング８ｃ（図１４参照）に、下バランサ８ｂが上バランサ８ａと１８０°の位相で固定されている。
【００５３】
合計３個のバランサ（主軸バランサ４ｅ（図１２参照）、上バランサ８ａ、下バランサ８ｂ）により、主軸４の静バランス及び動バランスがとられている。
【００５４】
さらに、主軸４の下端にはオイルパイプ４ｆが圧入されており、密閉容器１０底部の油だめ１０ｇにたまった冷凍機油１０ｅを吸上げる構造となっている。
【００５５】
図１３を参照しながら、ガイドフレーム１５について説明する。尚、図１３には、一点鎖線でコンプライアントフレーム３、密閉容器１０の一部を示している。
【００５６】
ガイドフレーム１５の外周面１５ｇは、焼きばめ、もしくは溶接などによって密閉容器１０に固定されている。そして、ガイドフレーム１５の外周部を切り欠いた切り欠き部１５ｃにより、固定スクロール１の吐出ポート１ｆから吐出される高圧の冷媒ガスを圧縮機構部４０と電動機２０との間に設けられた吐出管１０ｂ（図１参照）に導く流路１０ｈ（図１３参照）が確保されている。切り欠き部１５ｃは、吐出管１０ｂとは反対側の位置（略１８０°位相が異なる位置）に設けられている。
【００５７】
また、ガイドフレーム１５の内周面には、コンプライアントフレーム３の外周面に形成された上側円筒面３ｄ、下側円筒面３ｅと係合する上側円筒面１５ａ、下側円筒面１５ｂ、及びシール材を収納するシール溝が二ヶ所に設けられている。
【００５８】
シール溝１５ｈにシール材１６ａが設置され、シール溝１５ｉにシール材１６ｂが設置されている。これらの二つのシール材１６ａ，１６ｂを用いて密封されたガイドフレーム１５の内周面とコンプライアントフレーム３の外周面とからなるフレーム空間１５ｆ（図１３参照）は、コンプライアントフレーム３の連絡通路３ｓとのみ連通しており、抽出孔２ｊより供給される圧縮途中の冷媒ガスを封入する構造となっている。
【００５９】
図１４を参照しながら電動機２０について説明する。電動機は、少なくとも固定子７と、回転子８とを備える。ここでは、電動機２０は誘導電動機（単相、三相）とする。但し、その他のブラシレスＤＣモータでもよい。
【００６０】
固定子７は、少なくとも、図示しない固定子鉄心と、巻線と、絶縁材（スロットセル等）とを備える。
【００６１】
固定子鉄心は、全体の断面形状が略ドーナッツ状で、外周側に断面形状がリング状のコアバックが形成されている。このコアバックから、内側に放射状に歯部が周方向に略等間隔に設けられている。
【００６２】
歯部の周方向の幅は、径方向に略均一である。即ち、歯部は、回転子鉄心の内周側に向かって略平行の形状を有している。歯部の内径側の先端部は、両サイドが周方向に広がるような円弧状をなしている。
【００６３】
隣接する二つの歯部と、コアバックの一部とで囲まれる空間をスロットと呼ぶ。歯部の数と、スロットの数は同じである。
【００６４】
歯部の周方向の幅は径方向に略均一であるから、スロットの周方向の幅は内側から外側に向かって徐々に大きくなる。
【００６５】
スロットの内周側（回転子側）は、開口している。このスロットの内周側（回転子側）の開口している部分を、スロット開口部と呼ぶ。
【００６６】
巻線は、このスロット開口部からスロット内に挿入される。
【００６７】
各々のスロットの内部には、スロットセルなどの絶縁材（図示せず）を介して、三相または単相の集中巻方式もしくは分布巻方式で巻かれる巻線が施されている。巻線には、銅線の外側に絶縁被膜が施されたマグネットワイヤなどが用いられる。
【００６８】
固定子鉄心は、薄板の電磁鋼板（例えば０．１〜１．０ｍｍ程度の板厚の無方向性電磁鋼板（鋼板の特定方向に偏って磁気特性を示さないよう、各結晶の結晶軸方向をできる限りランダムに配置させたもの））を所定の形状に金型で打ち抜き、所定の枚数（複数枚）積層して構成される。
【００６９】
固定子７の内径側に空隙（図示せず）を介して配置される回転子８は、電磁鋼板を積層した回転子鉄心にかご形巻線がダイキャストにより形成されるものである。
【００７０】
回転子鉄心も、固定子鉄心と同様に薄板の電磁鋼板（例えば０．１〜１．０ｍｍ程度の板厚の無方向性電磁鋼板）を所定の形状に金型で打ち抜き、所定の枚数（複数枚）積層して構成される。
【００７１】
固定子７と回転子８との間の空隙は、例えば、径方向寸法が０．２〜２．０ｍｍ程度である。
【００７２】
また、図示はしないが、固定子７には、密閉容器１０内の上部から下部に落ちる冷凍機油１０ｅが通過する穴もしくは切り欠きが形成されている。
【００７３】
図１５を参照しながらサブフレーム６について説明する。サブフレーム６は、主軸４の圧縮機構部４０の反対側の端部（副軸部４ｄ（図１２参照）を支持する。
【００７４】
サブフレーム６には、主軸４の副軸部４ｄが回転自在に摺動する副軸受６ａが形成されている。
【００７５】
また、サブフレーム６には、電動機２０から下方に落下する冷凍機油１０ｅを油だめ１０ｇに落とす油孔６ｂが形成されている。
【００７６】
次に高圧シェルタイプ（密閉容器１０内部が、冷凍サイクルの高圧側）のコンプライアントフレーム３を用いるスクロール圧縮機１００の基本動作について説明する。
【００７７】
スクロール圧縮機１００の運転により冷凍サイクルの吸入側から、吸入冷媒（低圧の冷媒）が吸入管１０ａより吸入される。吸入冷媒の吸入圧力により、吸入逆止弁１７ａはバネ力に打ち勝って弁止まり面（図示せず）まで押し下げられ、吸入冷媒は固定スクロール１及び揺動スクロール２の板状渦巻歯２ｂで形成される圧縮室１ｄに入る。
【００７８】
電動機２０により主軸４を介して駆動される揺動スクロール２は、偏芯旋回運動を行い圧縮室１ｄの容積を減少させる。この圧縮行程により吸入冷媒は高圧となり、固定スクロール１の吐出ポート１ｆより密閉容器１０内に吐き出される。
【００７９】
尚、圧縮行程において、圧縮途中の中間圧力の冷媒ガスは揺動スクロール２の抽出孔２ｊ（図８参照）よりコンプライアントフレーム３の連絡通路３ｓを経て、フレーム空間１５ｆに導かれ、この空間の中間圧力雰囲気を維持する（抽出孔２ｊ以外は、図２参照）。高圧となった吐出ガスは、密閉容器１０内を高圧雰囲気で満たし、吐出管１０ｂからスクロール圧縮機１００の外に放出される。
【００８０】
密閉容器１０底部の油だめ１０ｇに貯められた冷凍機油１０ｅは、差圧（密閉容器１０内の高圧と、ボス部空間２ｈの中間圧との差圧）により、主軸４を軸方向に貫通する中空空間４ｇを通り揺動軸受空間２ｇ（図８参照）に導かれる。この揺動軸受空間２ｇの絞り作用によって中間圧力となった冷凍機油１０ｅは、揺動スクロール２とコンプライアントフレーム３によって囲まれた空間であるボス部空間２ｈを満たす。
【００８１】
ボス部空間２ｈと低圧雰囲気空間を連絡する圧力調整弁１８（図１、図２参照）を経由して低圧空間（吸入圧力空間１ｇ）に導かれ、低圧の冷媒ガスとともに圧縮室１ｄに吸入される。圧縮行程により冷凍機油１０ｅは高圧の冷媒ガスとともに吐出ポート１ｆから密閉容器１０内に吐出される。
【００８２】
本実施の形態のスクロール圧縮機１００は、ボス部空間２ｈが、主軸４の回転角度の所定の範囲において、固定スクロール１の板状渦巻歯１ｂと、揺動スクロール２の板状渦巻歯２ｂとを噛み合わせることにより形成される最外周の室（この室を最外周室とする）と、連通穴２ｋを介して連通する点に特徴がある。
【００８３】
本実施の形態のスクロール圧縮機１００における上記特徴の作用効果は、追って説明する。
【００８４】
固定スクロール１の板状渦巻歯１ｂと、揺動スクロール２の板状渦巻歯２ｂとを噛み合わせることにより形成される圧縮室１ｄ（最外周室）は、主軸４の回転により徐々に圧縮されて、圧力を高めながら中央部へ移動していく。
【００８５】
例えば、図１７を参照する。主軸４の回転角度が０°のときに、冷媒の吸入を完了した状態となり、密閉された第一の室２０ａ（最外周室）ができるとする。この密閉された第一の室２０ａは、主軸４の回転が進むにつれ、容積を小さくしながら圧力を高めつつ、中央部（吐出ポート１ｆ付近）へ移動していく。
【００８６】
図２に示す圧縮室１ｄは、固定スクロール１の板状渦巻歯１ｂと揺動スクロール２の板状渦巻歯２ｂとの噛み合わせの最外周（図１７の主軸４の回転角度が略０°〜９０°）にあるときの第一の室２０ａに略一致する。
【００８７】
固定スクロール１の板状渦巻歯１ｂと揺動スクロール２の板状渦巻歯２ｂとの噛み合わせの最外周に形成される最外周室は、主軸４の回転角度３６０°毎に新たに形成される。
【００８８】
図２に示す圧縮室１ｄは、主軸４の回転角度３６０°毎に新たに形成される固定スクロール１の板状渦巻歯１ｂと揺動スクロール２の板状渦巻歯２ｂとの噛み合わせの最外周に形成される最外周室を示している。
【００８９】
ここでは、次々と形成される固定スクロール１の板状渦巻歯１ｂと揺動スクロール２の板状渦巻歯２ｂとの噛み合わせの最外周に形成される最外周室の中の一つを、第一の室２０ａ（圧縮室１ｄ）とする。
【００９０】
図１６は揺動スクロール２の台板部２ａに形成されている連通穴２ｋの、揺動スクロール２の揺動に伴う回転の軌跡を示すが、図中、ボス部空間２ｈに連通していない連通穴２ｋを細い実線の円で示し、ボス部空間２ｈに連通している連通穴２ｋを太い実線の円で示している。
【００９１】
図１６に示すように、連通穴２ｋは主軸４の回転角度の略９０°の範囲でボス部空間２ｈに連通する。主軸４の回転角度の他の略２７０°の範囲では、連通穴２ｋは、コンプライアントフレーム３のスラスト軸受３ａの面で閉塞される。
【００９２】
ここで、主軸４の回転角度の定義を行う。図１７に示すように、第一の室２０ａが冷媒の吸入を完了したときの、主軸４の回転角度を０°とする。
【００９３】
図１６の「主軸４の回転角度０°」は、図１７の（主軸４の回転角度０°）と一致する。また、図１６の「主軸４の回転角度９０°」は、図１７の（主軸４の回転角度９０°）と一致する。
【００９４】
従って、連通穴２ｋのコンプライアントフレーム３側の開口部は、以下の条件を満たすことが必須となる。
（１）連通穴２ｋのコンプライアントフレーム３側の開口部は、主軸４の回転角度０°〜９０°（概略の範囲）の間で、ボス部空間２ｈに連通する。
（２）連通穴２ｋのコンプライアントフレーム３側の開口部は、主軸４の回転角度９０°〜３６０°（概略の範囲）の間で、ボス部空間２ｈに連通しない（連通穴２ｋは、コンプライアントフレーム３のスラスト軸受３ａの面で閉塞される）。
【００９５】
連通穴２ｋのコンプライアントフレーム３と反対側の開口部（板状渦巻歯２ｂ側）の第一の室２０ａ（圧縮室１ｄの一つ）との連通は、少なくとも連通穴２ｋのコンプライアントフレーム３側の開口部がボス部空間２ｈと連通しているときは、連通状態にあることが必須である。
【００９６】
連通穴２ｋのコンプライアントフレーム３側の開口部がボス部空間２ｈに連通していないときは、連通穴２ｋのコンプライアントフレーム３と反対側の開口部（板状渦巻歯２ｂ側）の第一の室２０ａ（圧縮室１ｄの一つ）との連通は、連通していてもよいし、連通していなくてもよい。
【００９７】
図１７乃至図２０は、吸入完了状態を回転角度０°として、固定スクロール１に対する揺動スクロール２の相対位置および連通穴２ｋとの相関を、主軸４の回転角度０°、９０°、１８０°、２７０°、３６０°、４５０°、５４０°、６３０°について示している。
【００９８】
図１７に示すように、主軸４の回転角度が０°で吸入を完了して第一の室２０ａが形成される。第一の室２０ａの容積は、このときが最も大きい。そして、図に示すように、第一の室２０ａは連通穴２ｋと連通している。
【００９９】
また、図１６に示すように、連通穴２ｋはボス部空間２ｈと連通を開始しているので、ボス部空間２ｈと第一の室２０ａとは連通状態にある。
【０１００】
主軸４が回転角度０°から９０°回転すると、第一の室２０ａは反時計方向に、且つ内側に、その容積を小さくしながら移動する。主軸４の回転角度が９０°でも、連通穴２ｋと連通している。
【０１０１】
また、図１６に示すように、連通穴２ｋはボス部空間２ｈとまだ連通しているので、ボス部空間２ｈと第一の室２０ａとは連通状態にある。
【０１０２】
図１８に示すように、主軸４が回転角度９０°から９０°回転して１８０°になると、第一の室２０ａは反時計方向に、且つ内側に、さらにその容積を小さくしながら移動する。主軸４の回転角度が１８０°では、連通穴２ｋと連通していない。主軸４が回転角度９０°から１８０°の間のどこかで、連通穴２ｋの板状渦巻歯２ｂ側の開口部は、第一の室２０ａと非連通状態になる。固定スクロール１の板状渦巻歯１ｂで、連通穴２ｋの板状渦巻歯２ｂ側の開口部が閉塞される。または、連通穴２ｋの板状渦巻歯２ｂ側の開口部が、まだ吸入を完了していない次の最外周室候補の空間に開口している。
【０１０３】
図１８に示すように、主軸４が回転角度１８０°から９０°回転して２７０°になると、第一の室２０ａは反時計方向に、且つ内側に、さらにその容積を小さくしながら移動する。主軸４の回転角度が２７０°では、連通穴２ｋはまだ吸入を完了していない次の最外周室候補の空間に開口しているので、連通穴２ｋの板状渦巻歯２ｂ側の開口部は、第一の室２０ａと非連通状態にある。
【０１０４】
図１９に示すように、主軸４が回転角度２７０°から９０°回転して３６０°になると（主軸４が一回転したことになる）、第一の室２０ａは反時計方向に内側に、さらにその容積を小さくしながら移動する。主軸４の回転角度が３６０°では、連通穴２ｋは吸入を完了した次の最外周室の空間に開口しているので、連通穴２ｋの板状渦巻歯２ｂ側の開口部は、第一の室２０ａと非連通状態にある。
【０１０５】
図１９に示すように、主軸４が回転角度３６０°から９０°回転して４５０°になると、第一の室２０ａは反時計方向に、且つ内側に、さらにその容積を小さくしながら移動する。主軸４の回転角度が４５０°では、連通穴２ｋは吸入を完了した次の最外周室の空間に開口しているので、連通穴２ｋの板状渦巻歯２ｂ側の開口部は、第一の室２０ａと非連通状態にある。
【０１０６】
図２０に示すように、主軸４が回転角度４５０°から９０°回転して５４０°になると、第一の室２０ａは反時計方向に、且つ内側に、さらにその容積を小さくしながら移動する。第一の室２０ａは、主軸４が回転角度５４０°では、吐出ポート１ｆと連通している。そのため、第一の室２０ａの圧力は吐出圧力Ｐｄと略等しくなる。正確には、主軸４が回転角度５４０°よりも前で、第一の室２０ａは、吐出ポート１ｆと連通している。
【０１０７】
図２０に示すように、主軸４が回転角度５４０°から９０°回転して６３０°になると、第一の室２０ａは反時計方向に、且つ内側に、さらにその容積を小さくしながら吐出ポート１ｆと連通した状態で移動する。
【０１０８】
図２１は第一の室２０ａの圧力と主軸４の回転角度との関係を示すグラフであり、吸入冷媒の吸入を完了して第一の室２０ａが形成される主軸４の回転角度０°から主軸４の回転角度６３０°までの、第一の室２０ａの圧力の変化を示している。
【０１０９】
主軸４の回転角度０°では、吸入冷媒の吸入を完了して第一の室２０ａが形成されるので、第一の室２０ａの圧力は吸入圧力Ｐｓに等しい。
【０１１０】
その後、主軸４の回転とともに、第一の室２０ａは、その容積を小さくしながら内側に移動し、第一の室２０ａ内の圧力は徐々に上昇する。
【０１１１】
主軸４の回転角度０°〜９０°の区間は、上記のように、ボス部空間２ｈと第一の室２０ａとが連通している。図２１にも示すように、この主軸４の回転角度０°〜９０°の区間は、ボス部空間２ｈの中間圧よりも第一の室２０ａの圧力が低い。従って、ボス部空間２ｈの冷媒及び冷凍機油１０ｅは第一の室２０ａに引き込まれる。従って、ボス部空間２ｈと第一の室２０ａとが連通していても、ボス部空間２ｈへ第一の室２０ａの圧力が逃げることはない。
【０１１２】
主軸４の回転角度が９０°を超えると、ボス部空間２ｈと第一の室２０ａとが非連通状態となり、第一の室２０ａの圧力は上昇を続ける。図１７〜図２０の固定スクロール１の板状渦巻歯１ｂと揺動スクロール２の板状渦巻歯２ｂとの仕様では、主軸４の回転角度が４５０°〜５４０°のどこかで、第一の室２０ａが吐出ポート１ｆに連通して、第一の室２０ａの圧力は吐出圧力Ｐｄになる。
【０１１３】
主軸４の回転角度０°〜９０°の区間で、ボス部空間２ｈと第一の室２０ａとが連通していることによる効果を説明する。
【０１１４】
電動機２０に三相もしくは単相の誘導電動機を使用する場合は、ユニット（例えば、空気調和機）の組立において、三相誘導電動機でのスクロール圧縮機１００のガラス端子１０ｆ（図１参照）への電源端子の接続ミス、単相誘導電動機での運転コンデンサの結線ミス等により、製造ラインのテストにて電動機２０が逆転する場合がある。
【０１１５】
インバータで駆動するブシレスＤＣモータの場合は、通常駆動回路に電源の逆相を検知してブシレスＤＣモータへの通電を遮断する保護回路が内蔵されているため、スクロール圧縮機１００のガラス端子１０ｆ（図１参照）への電源端子の接続ミスがあると、スクロール圧縮機１００は始動しない。しかし、駆動回路に電源の逆相を検知してブラシレスＤＣモータへの接続ミスがあると、スクロール圧縮機は逆転する場合がある。
【０１１６】
図２２の三相誘導電動機の結線において、三個ある電源端子（Ｕ相、Ｖ相、Ｗ相）を正しくスクロール圧縮機１００のガラス端子１０ｆ（図１参照）に接続すれば、電動機２０は所定の正転運転を行う。しかし、例えば、図２２に示すように、Ｕ相とＶ相との接続を間違えると（Ｕ相巻線に電源のＶ相を接続し、Ｖ相巻線に電源のＵ相を接続する）、電動機２０は所定の正転運転とは反対の逆転運転を行う。
【０１１７】
また、図２３の単相誘導電動機の結線において、通常は運転コンデンサが補助巻線に直列に接続され、その直列回路が主巻線に並列に接続される。
【０１１８】
運転コンデンサの接続ミスで、運転コンデンサが主巻線に接続され、その直列回路が補助巻線に並列に接続されると（図２３のカッコ内）、電動機２０は所定の正転運転とは反対の逆転運転を行う。
【０１１９】
ここで、スクロール圧縮機１００が組み込まれるユニット（空気調和機２００）の冷媒回路の一例を、図２４を参照しながら説明しておく。
【０１２０】
空気調和機２００は、室外機２０１と、室内機２０２とを備える。室外機２０１と室内機２０２とは、接続配管（延長配管）であるガス管２０５及び液管２０７で接続される。
【０１２１】
室外機２０１は、ガス管２０５を接続するためのガス側バルブ２１４と、液管２０７を接続するための液側バルブ２１５とを備える。
【０１２２】
室内機２０２は、ガス管２０５を接続するためのガス側接続部２１６と、液管２０７を接続するための液側接続部２１７とを備える。
【０１２３】
ガス管２０５及び液管２０７には、所定の径・長さの銅管が使用される。空気調和機２００の据付時に、ガス管２０５及び液管２０７は現地の状況に合わせて作られる。
【０１２４】
ガス管２０５及び液管２０７は、ガス側バルブ２１４、液側バルブ２１５、ガス側接続部２１６と、液側接続部２１７がそれぞれ備えるフレアナット（図示せず）によって固定される。
【０１２５】
室外機２０１は、冷媒を圧縮する圧縮機（ここでは、スクロール圧縮機１００）、冷媒の流れる方向を冷房運転と暖房運転とで切り替える四方弁２０４（オフ状態では冷房運転）、熱源側熱交換器である室外熱交換器２１１、第１の減圧装置２１０、中圧レシーバ２０９、第２の減圧装置２０８を備える。
【０１２６】
冷媒の流れる方向を冷房運転と暖房運転とで切り替える四方弁２０４は、図２４では、冷房暖房運転時の冷媒の流路を実線で示している。また、暖房運転時の冷媒の流路を破線で示している。
【０１２７】
熱源側熱交換器である室外熱交換器２１１は、冷房運転時は凝縮器として動作し、暖房運転時は蒸発器として動作する。また、室外送風機（図示せず）により室外熱交換器２１１に送風が行われて冷媒と空気との熱交換が促進される。
【０１２８】
第１の減圧装置２１０、第２の減圧装置２０８には、例えば、電子膨張弁が使用される。
【０１２９】
中圧レシーバ２０９では、気液二相冷媒が流入し、スクロール圧縮機１００の吸入配管２１８と熱交換して液冷媒となって流出する。
【０１３０】
室内機２０２は、利用側熱交換器である室内熱交換器２０６を備える。室内熱交換器２０６は、冷房運転時は蒸発器として動作する。また、暖房運転時は凝縮器として動作する。また、室内送風機（図示せず）により室内熱交換器２０６に送風が行われて冷媒と空気との熱交換が促進されるとともに、調和空気を空調空間に送出する。室内機２０２の冷媒回路を室内冷媒回路とする。
【０１３１】
図２５により空気調和機２００の冷媒回路の動作を、暖房運転と冷房運転のそれぞれについて説明する。
【０１３２】
暖房運転時は、スクロール圧縮機１００から吐出された高圧・高温のガス冷媒（図２５の点１）は、四方弁２０４を通りガス側バルブ２１４、ガス管２０５、ガス側接続部２１６を通り室内熱交換器２０６に流入する。
【０１３３】
室内熱交換器２０６では、ガス冷媒は室内空気（ガス冷媒の温度より低い）と熱交換することにより冷却されて凝縮する。室内熱交換器２０６の出口付近では、高圧の液冷媒となる（図２５の点２）。尚、この高圧の液冷媒は、凝縮温度よりも所定温度低く過冷却されている。
【０１３４】
室内熱交換器２０６を出た高圧の液冷媒は、液側接続部２１７、液管２０７、液側バルブ２１５を経て第２の減圧装置２０８に流入する。第２の減圧装置２０８で、高圧の液冷媒は減圧されて中圧の気液二相冷媒になる（図２５の点３）。
【０１３５】
第２の減圧装置２０８を出た中圧の気液二相冷媒は、中圧レシーバ２０９に流入する。中圧レシーバ２０９に流入した中圧の気液二相冷媒は、スクロール圧縮機１００の吸入配管２１８を流れる低圧・低温のガス冷媒と熱交換して、中圧の液冷媒となる（図２５の点４）。
【０１３６】
中圧レシーバ２０９を出た中圧の液冷媒は、第１の減圧装置２１０にて減圧されて低圧の気液二相冷媒になる（図２５の点５）。
【０１３７】
第１の減圧装置２１０を出た低圧の気液二相冷媒は、室外熱交換器２１１に流入する。室外熱交換器２１１では、低圧の気液二相冷媒は外気（低圧の気液二相冷媒より温度が高い）と熱交換して蒸発する。そして、低圧のガス冷媒となる（図２５の点６）。
【０１３８】
さらに、低圧のガス冷媒は、中圧レシーバ２０９の中圧の気液二相冷媒と熱交換することにより加熱され（図２５の点７）、スクロール圧縮機１００に吸入される。
【０１３９】
冷房運転時は、スクロール圧縮機１００から吐出された高圧・高温のガス冷媒（図２５の点１）は、室外熱交換器２１１に流入する。
【０１４０】
室外熱交換器２１１では、ガス冷媒は外気（ガス冷媒の温度より低い）と熱交換することにより冷却されて凝縮する。室外熱交換器２１１の出口付近では、高圧の液冷媒となる（図２５の点２）。尚、この高圧の液冷媒は、凝縮温度よりも所定温度低く過冷却されている。
【０１４１】
室外熱交換器２１１を出た高圧の液冷媒は、第１の減圧装置２１０に流入する。第１の減圧装置２１０で、高圧の液冷媒は減圧されて中圧の気液二相冷媒になる（図２５の点３）。
【０１４２】
第１の減圧装置２１０を出た中圧の気液二相冷媒は、中圧レシーバ２０９に流入する。中圧レシーバ２０９に流入した中圧の気液二相冷媒は、スクロール圧縮機１００の吸入配管２１８を流れる低圧・低温のガス冷媒と熱交換して、中圧の液冷媒となる（図２５の点４）。
【０１４３】
中圧レシーバ２０９を出た中圧の液冷媒は、第２の減圧装置２０８にて減圧されて低圧の気液二相冷媒になる（図２５の点５）。
【０１４４】
第２の減圧装置２０８を出た低圧の気液二相冷媒は、液側バルブ２１５、液管２０７、液側接続部２１７を経て室内熱交換器２０６に流入する。室内熱交換器２０６では、低圧の気液二相冷媒は室内空気（低圧の気液二相冷媒より温度が高い）と熱交換して蒸発する。そして、低圧のガス冷媒となる（図２５の点６）。
【０１４５】
さらに、低圧のガス冷媒は、中圧レシーバ２０９の中圧の気液二相冷媒と熱交換することにより加熱され（図２５の点７）、スクロール圧縮機１００に吸入される。
【０１４６】
電動機２０に三相もしくは単相の誘導電動機を使用する場合で、ユニット（例えば、空気調和機）の組立において、三相誘導電動機でのスクロール圧縮機１００のガラス端子１０ｆ（図１参照）への電源端子の接続ミス、単相誘導電動機での運転コンデンサの結線ミス等により、製造ラインのテストにて電動機２０が逆転する場合の問題点について言及する。
【０１４７】
製造ラインにおいて、空気調和機２００は、室外機２０１と室内機２０２とが別々に組立られる。
【０１４８】
室外機２０１は、スクロール圧縮機１００等を用いて冷媒回路が組立られると、冷媒（例えば、Ｒ２２、Ｒ４１０Ａ、Ｒ４０７Ｃ等）が、四方弁２０４と室外熱交換器２１１との間に設けられるチャージポートから冷媒回路に充填される。このとき、四方弁２０４はオフで冷房運転の回路になっている。従って、スクロール圧縮機１００の吐出側と室外熱交換器２１１とが連通している。チャージポートから冷媒回路に充填される冷媒は、室外熱交換器２１１及びスクロール圧縮機１００の密閉容器１０内部に充填される。
【０１４９】
空気調和機２００の製造ラインでは、ダミーの室内機２０２に製造中の室外機２０１を接続して、出荷テストを行う。このとき、三相誘導電動機でのスクロール圧縮機１００のガラス端子１０ｆ（図１参照）への電源端子の接続ミス、単相誘導電動機での運転コンデンサの結線ミスがあると、スクロール圧縮機１００の始動時に、電動機２０は逆転運転する。
【０１５０】
この電動機２０の逆転運転により、圧縮機構部４０は圧縮機ではなく膨張機となる。即ち、吐出弁を持たないスクロール圧縮機１００の、冷媒を充填後の始動時の動作は、以下のようになる。尚、スクロール圧縮機１００は、吸入逆止弁組立１７を備えるものとする。吸入逆止弁組立１７を備えないスクロール圧縮機についても言及する。
（１）吐出ポート１ｆに連通している一つの圧縮室１ｄ（圧縮室Ａとする）は、密閉容器１０内の冷媒（冷凍サイクル全体の冷媒が同一圧力にバランスしている）を吸入し、主軸４の逆転が進み圧縮室Ａが閉じると、容積を拡大しながら外側に移動する。このとき、圧縮室Ａ内の圧力は徐々に低下する。
（２）圧縮室Ａがボス部空間２ｈと連通穴２ｋを介して連通すると、圧縮室Ａの圧力が冷凍サイクルのバランス圧力よりも低いので、冷凍サイクルのバランス圧力であったボス部空間２ｈの圧力は下がる。ボス部空間２ｈと圧縮室Ａとの容積比は、例えば、１０：１程度であり、この容積比と連通する前のそれぞれの圧力で、圧縮室Ａがボス部空間２ｈと連通後のボス部空間２ｈ及び圧縮室Ａの圧力は決まる。主軸４の逆転がさらに進むと、圧縮室Ａの容積が増加する分、ボス部空間２ｈ及び圧縮室Ａの圧力はさらに低下する。
（３）主軸４の逆転がさらに進み、圧縮室Ａが解放されると、圧縮室Ａは吸入圧力空間１ｇと連通する。吸入圧力空間１ｇは、吸入逆止弁組立１７で閉じているので、吸入圧力空間１ｇの冷媒量は増加する。
（４）圧縮室Ａの内側に形成される次の圧縮室Ｂも同様の動作を行う。そのため、ボス部空間２ｈの圧力はさらに低下する。また、吸入圧力空間１ｇの冷媒量もさらに増加する。
（５）上記の動作を繰り返すことで、ボス部空間２ｈの圧力は、密閉容器１０内の圧力（始動前の冷凍サイクルのバランス圧力に略等しい）よりも低くなる。即ち、油だめ１０ｇの圧力がボス部空間２ｈの圧力よりも大きくなるので、その差圧により冷凍機油１０ｅは、主軸４の中空空間４ｇを上昇して、ボス部空間２ｈに流入する。それにより、揺動軸受２ｃ等の各軸受に給油することができる。従って、ボス部空間２ｈと圧縮室１ｄとを連通させる連通穴２ｋがない場合に発生する、電動機２０の逆転運転時の主軸４の焼きつきを抑制することができる。
（６）吸入圧力空間１ｇの冷媒量は増え続けるが、吸入圧力空間１ｇの圧力が所定の圧力を超えると、リリーフ弁５０ａが開き、吸入圧力空間１ｇの冷媒は密閉容器１０内へ解放される。
【０１５１】
従って、吸入逆止弁組立１７を備えるスクロール圧縮機１００では、電動機２０の逆転運転時の主軸４の焼きつきを抑制するため、以下の構成要素が必須となる。
（１）固定スクロール１の板状渦巻歯１ｂと揺動スクロール２の板状渦巻歯２ｂとの噛み合わせにより最外周室が形成される主軸４の回転角度が０°とし、例えば、主軸４の回転角度が略０°〜９０°（所定の主軸４の回転角度範囲）のときにボス部空間２ｈと最外周室とを連通させる連通穴２ｋ。
（２）固定スクロール１の台板部１ａの板状渦巻歯１ｂと反対側の面で、吸入圧力空間１ｇに対応する位置で、固定スクロール１の台板部１ａのリリーフ穴１ｈを開閉自在に閉塞するリリーフ弁５０ａと弁押え５０ｂとを備えるリリーフ弁組立５０。
【０１５２】
尚、吸入逆止弁組立１７を備えないスクロール圧縮機では、逆転運転の始動時に、吸入圧力空間１ｇに流入する冷媒は、冷凍サイクルの吸入側に流出するので、リリーフ弁組立５０は不要である。吸入逆止弁組立１７を備えないスクロール圧縮機は、（１）固定スクロール１の板状渦巻歯１ｂと揺動スクロール２の板状渦巻歯２ｂとの噛み合わせにより最外周室が形成される主軸４の回転角度が０°とし、例えば、主軸４の回転角度が略０°〜９０°（所定の主軸４の回転角度範囲）のときにボス部空間２ｈと最外周室とを連通させる連通穴２ｋ、が必須の構成要素となる。
【０１５３】
次に、スクロール圧縮機１００を搭載した室外機２０１と、室内機２０２とを備える空気調和機２００の据付時の結線ミスによる逆転運転について言及する。
【０１５４】
この場合、電動機２０に三相誘導電動機を使用するスクロール圧縮機１００が対象となる。電動機２０がインバータで駆動されるブラシレスＤＣモータの場合は、駆動回路に電源の逆相を検知してブラシレスＤＣモータへの通電を遮断する保護回路が内蔵されていない場合、据付時の室外機２０１の電源接続端子への三相電源の接続において、総の順序がずれてしまうと、スクロール圧縮機１００は逆転してしまうので対象となる。電動機２０に単相誘導電動機を使用するスクロール圧縮機１００の場合は、据付時の室外機２０１の電源接続端子への単相電源の接続において、相（二相）の順序がずれても、電動機２０の逆転運転は発生しない。据付後の運転コンデンサのサービス（交換）時に、可なり低い確率での結線ミスによる逆転運転の発生が考えられる程度である。
【０１５５】
室内機２０２と室外機２０１とを有する空気調和機２００は、据付時に現地で室内機２０２と室外機２０１とを接続配管で接続する必要がある。
【０１５６】
室内機２０２は、ガス管２０５を接続するためのガス側接続部２１６と、液管２０７を接続するための液側接続部２１７とを備える。
【０１５７】
工場出荷時、室内機２０２の冷媒回路（室内熱交換器２０６）には窒素ガス等が封入されている。室内機２０２の冷媒回路の二つの開放端部は、例えば、キャップ付きのフレアナットで閉塞され、窒素ガスが外部へ漏れないようになっている（ガス側接続部２１６、液側接続部２１７）。
【０１５８】
また、室外機２０１の冷媒回路には、工場出荷時に所定量の冷媒が充填されている。また、スクロール圧縮機１００には、圧縮機構を潤滑するための冷凍機油１０ｅが所定量封入されている。
【０１５９】
室外機２０１の冷媒回路の二つの開放端部には、それぞれバルブ（ガス管２０５を接続するためのガス側バルブ２１４、液管２０７を接続するための液側バルブ２１５）が接続され、冷媒が漏れないようになっている。室外機２０１のバルブ（ガス管２０５を接続するためのガス側バルブ２１４、液管２０７を接続するための液側バルブ２１５）には、室内機２０２と同様のキャップ付きのフレアナットが取り付けられている。バルブで冷媒回路は閉塞されているので、キャップ付きのフレアナットは、据付時に接続配管を接続するために必要なものである。室内機２０２と同様のキャップ付きのフレアナットを使用するのは、部品を共通化するためである。
【０１６０】
空気調和機２００の据付時における室内機２０２と室外機２０１との接続方法について説明する。
【０１６１】
先ず、室内機２０２の冷媒回路における二つの開放端部を閉塞しているキャップ付きのフレアナットを工具を用いて取り外す。このとき室内機２０２の冷媒回路に封入されていた窒素ガスは大気に放出される。
【０１６２】
また、室外機２０１のバルブ（ガス管２０５を接続するためのガス側バルブ２１４、液管２０７を接続するための液側バルブ２１５）に取り付けられているキャップ付きのフレアナットも工具を用いて取り外す。このときバルブは閉じているので、冷媒は室外機２０１の冷媒回路に充填された状態を維持する。
【０１６３】
次に、室内機２０２、室外機２０１のキャップ付きのフレアナット（計４個）からキャップを取り外す。
【０１６４】
さらに、接続配管として用いる銅管（二本）を所定の長さに切断する。所定の長さとは、据付状態の室内機２０２と室外機２０１との間の距離に略一致する。
【０１６５】
二本の接続配管に、キャップを取り外したフレアナットをそれぞれ２個挿入する。そして、二本の接続配管のそれぞれの両端を拡管する。
【０１６６】
４個のフレアナットを室内機２０２、室外機２０１の元の部位に締結する。これで、接続配管の接続が完了する。
【０１６７】
接続が完了した室内機２０２の冷媒回路と接続配管の内部は、空気もしくは放出されずに残った窒素ガスを含む空気が残存している。
【０１６８】
そのため、室外機２０１のバルブに設けられている冷媒チャージポート（閉止弁を押し開いて接続配管側に連通する）に真空ポンプを接続し、室内機２０２の冷媒回路と接続配管の内部の真空引きを行う。
【０１６９】
室内機２０２の冷媒回路と接続配管の内部の真空引きが完了したら、室外機２０１の二つのバルブ（ガス管２０５を接続するためのガス側バルブ２１４、液管２０７を接続するための液側バルブ２１５）を開き、室外機２０１に充填されている冷媒を冷媒回路全体に移動させて据付工事は完了する。
【０１７０】
接続配管（ガス管２０５及び液２０７）には、所定の径・長さの銅管が使用される。空気調和機２００の据付時に、ガス管２０５及び液管２０７は現地の状況に合わせて作られる。
【０１７１】
一例では、接続配管（ガス管２０５及び液２０７）が３０ｍまでは、冷媒の追加充填は不要となっている。
【０１７２】
接続配管（ガス管２０５及び液２０７）が３０ｍ以上の場合は、接続配管サイズと配管長さに応じて所定の追加冷媒を充填する。その手順は、室内機２０２の冷媒回路と接続配管の内部の真空引きが完了したら、室外機２０１の二つのバルブ（ガス管２０５を接続するためのガス側バルブ２１４、液管２０７を接続するための液側バル２１５）を開いて冷媒を室内側へ開放し、試運転（冷房運転）を行いながら、室外機２０１のバルブに設けられている冷媒チャージポート（閉止弁を押し開いて接続配管側に連通する）から追加冷媒を充填（正確には、冷媒回路に引き込まれる）する。
【０１７３】
このとき、ガス側バルブ２１４の冷媒チャージポートから冷凍サイクルの低圧側に冷媒は充填される。
【０１７４】
仮に、据付時の室外機２０１の電源接続端子への三相電源の接続において、相の順序がずれて逆相になっているとする。この状態で追加冷媒を充填する試運転（冷房運転）を実施すると、スクロール圧縮機１００は逆転運転を行うことになる。
【０１７５】
このときのスクロール圧縮機１００の逆転運転は、空気調和機２００の製造ラインにおける出荷試験のときと略同じである。
【０１７６】
吸入逆止弁組立１７を用いるスクロール圧縮機１００に液冷媒が存在する状態で、始動し且つそれが逆転運転とすると、吸入圧力空間１ｇの圧力が急上昇して圧縮機構部４０が破壊する恐れがある。
【０１７７】
空気調和機２００の据付時に、スクロール圧縮機１００に液冷媒が存在する状態で、始動し且つそれが逆転運転になる可能性は極めて少ない。
【０１７８】
しいて、そのような状態になる条件を挙げると、室内機２０２の冷媒回路と接続配管の内部の真空引きが完了したら、室外機２０１の二つのバルブ（ガス管２０５を接続するためのガス側バルブ２１４、液管２０７を接続するための液側バル２１５）を開き、室外機２０１に充填されている冷媒を冷媒回路全体に移動させた時点で作業を中断して、追加冷媒の充填等の作業は翌日に持ち越す場合である。
【０１７９】
特に、寒冷地において、夜間の寒気によりスクロール圧縮機１００の温度が下がると、冷媒がスクロール圧縮機１００に寝込む（液冷媒がスクロール圧縮機１００に貯まる）。
【０１８０】
この状態で、例えば、追加冷媒の充填を行うために、試運転を開始し、且つ結線ミスがあって吸入逆止弁組立１７を用いるスクロール圧縮機１００が逆転始動すると、吸入圧力空間１ｇの圧力が急上昇して圧縮機構部４０が破壊する恐れがある。
【０１８１】
しかし、本実施の形態のスクロール圧縮機１００は、吸入逆止弁組立１７を用いる場合は、リリーフ弁５０ａと、弁押え５０ｂとを備えるリリーフ弁組立５０を使用するので、その場合でも、リリーフ弁組立５０により吸入圧力空間１ｇの圧力の急上昇を回避することができる。
【０１８２】
スクロール圧縮機１００の正転運転の場合に、圧縮室１ｄとボス部空間２ｈとを連通させる連通穴２ｋは、冷媒の吸入を完了した状態となり、密閉された最外周室（第一の室２０ａ）が形成されるときの主軸４の回転角度を０°とすると、主軸４の回転角度が略０°〜９０°の区間で連通穴２ｋは最外周室とボス部空間２ｈとを連通させる。図２１に示すように、この区間（主軸４の回転角度が略０°〜９０°）では、最外周室の圧力よりもボス部空間２ｈの圧力（中間圧）が高いので、最外周室の冷媒がボス部空間２ｈに逃げることはなく、スクロール圧縮機１００の性能に影響しない。
【０１８３】
また、スクロール圧縮機１００の逆転運転の場合、主軸４の回転角度の全範囲において、圧縮室１ｄとボス部空間２ｈとを連通穴２ｋで連通させると、ボス部空間２ｈに上がる油だめの冷凍機油１０ｅが増え、油だめに冷凍機油１０ｅがなくなる恐れがある。冷媒の吸入を完了した状態となり、密閉された最外周室（第一の室２０ａ）が形成されるときの主軸４の回転角度を０°とすると、主軸４の回転角度が略０°〜９０°の区間で連通穴２ｋは最外周室とボス部空間２ｈとを連通させるようにしているので、ボス部空間２ｈに上がる油だめの冷凍機油１０ｅが増え、油だめに冷凍機油１０ｅがなくなる恐れも少ない。
【０１８４】
以上のように、本実施の形態のスクロール圧縮機１００は、以下に示す効果を奏する。
（１）一般的なスクロール圧縮機は、逆転運転時に吐出空間圧力Ｐｄが吸入空間圧力Ｐｓより大きくならないため、主軸４の上端面と下端面に差圧が生じないので軸受部に差圧給油出来ず、主軸４が焼き付いてしまう。しかし、本実施の形態のスクロール圧縮機１００は、逆転運転時に吐出差圧給油方式で各軸受部に給油が出来るように、主軸４上端部を含む揺動スクロール２のボス部空間へ吐出空間圧力Ｐｄより低い圧力Ｐｍ’（膨張行程の渦巻内の圧力）を引き込む為に揺動スクロール２の台板部２ａにボス部空間（ボス部空間２ｈ）への連通穴２ｋを設ける。そうすることで逆転運転中に主軸４の上端面と下端面と差圧が生じ、差圧給油することが可能となり各軸受部に給油することができ、軸焼付きを防ぎ信頼性の向上を図ることが出来る。
（２）本実施の形態のスクロール圧縮機１００において、逆転運転時に軸受部に差圧給油が出来るように揺動軸受２ｃを含む揺動スクロール２のボス部空間２ｈへ吐出空間圧力Ｐｄより低い圧力Ｐｍ’（膨張行程の渦巻内の圧力）を引き込む為の揺動スクロール２にボス部空間２ｈへの連通穴２ｋの位置は、逆転運転時に密閉容器１０底部の油だめ１０ｇから冷凍機油１０ｅが連続的に吸い上げられるので冷凍機油１０ｅの枯渇防止のため３６０°ボス部空間２ｈと連通穴２ｋが連通しないような位置、かつ正転運転時にスクロール内の圧縮途中の冷媒がボス部空間２ｈへ流入しない位置（圧縮室の圧縮途中の圧力がボス部空間圧力より小さくなる位置）に設ける。そうすることで逆転運転中の油枯渇を防ぎ信頼性の向上を図ることが出来る。また、正転運転時の圧縮ガスのボス部空間２ｈへの流出を防ぐことができ、正転運転時の性能低下防止をすることが出来る。
（３）本実施の形態のスクロール圧縮機１００は、固定スクロール１の台板部１ａの板状渦巻歯１ｂと反対側の面で、吸入圧力空間１ｇに対応する位置に、リリーフ弁５０ａと、弁押え５０ｂとを備えるリリーフ弁組立５０が設けられている。吸入逆止弁組立１７を備えるスクロール圧縮機１００が、圧縮室１ｄに液冷媒が満たされた状態のときに、何らかの理由で正回転の反対の逆転運転始動すると、液圧縮によるパンピング圧が発生する。パンピング圧により、固定スクロール１の板状渦巻歯１ｂがずれることでメカがロックするか、もしくは圧縮性能が低下する。リリーフ弁組立５０は、圧縮室１ｄで液圧縮が発生する場合に、液冷媒を圧縮室１ｄの外部（密閉容器１０の内部空間）に逃がして液圧縮によるパンピング圧の発生を抑制する。
【０１８５】
実施の形態２．
一般的なスクロール圧縮機は、逆転運転時に吐出空間圧力Ｐｄが吸入空間圧力Ｐｓより大きくならないため、主軸４の上端面と下端面に差圧が生じないので軸受部に差圧給油出来ず、主軸４が焼き付いてしまう。
【０１８６】
実施の形態２のスクロール圧縮機３００は、逆転運転時に吐出差圧給油方式で各軸受部に給油が出来るように主軸４上端部空間へ渦巻内の吐出空間圧力Ｐｄより低い圧力Ｐｍ’（膨張行程の渦巻内の圧力）を引き込む為に、揺動スクロール２にボス部空間２ｈへの連通穴２ｎを設け、正転運転時にその連通穴２ｎから渦巻内へ冷媒が流れ込まないように連通逆止弁２ｐを設ける。そうすることで逆転運転中に主軸４の上端面と下端面と差圧が生じ、差圧給油することが可能となり各軸受部に給油することができ、軸焼付きを防ぎ信頼性の向上を図ることが出来る。また、正転運転時の圧縮ガスのボス部空間への流出を防ぐことができ、正転運転時の性能低下防止をすることが出来る。
【０１８７】
スクロール圧縮機３００において、逆転運転時に軸受部に差圧給油が出来るように揺動軸受２ｃを含む揺動スクロール２のボス部空間２ｈへ吐出空間圧力Ｐｄより低い圧力Ｐｍ’（膨張行程の渦巻内の圧力）を引き込む為に揺動スクロールに主軸４上端部への連通穴２ｎの位置は、逆転運転時に密閉容器１０底部の油だめ１０ｇから冷凍機油１０ｅが連続的に吸い上げられるので、冷凍機油１０ｅの枯渇防止のため３６０°ボス部空間２ｈと連通穴２ｎが連通しないような位置（圧縮室の圧縮途中の圧力がボス部空間圧力より小さくなる位置）に設ける。そうすることで逆転運転中の油枯渇を防ぎ信頼性の向上を図ることが出来る。
【０１８８】
図２６乃至図３２は実施の形態２を示す図で、図２６はスクロール圧縮機３００の部分縦断面図、図２７は連通穴２ｎを示す揺動スクロール２の縦断面図、図２８は連通穴２ｎ及び連通逆止弁２ｐを示す揺動スクロール２の縦断面図、図２９は連通逆止弁２ｐの拡大図、図３０は吸入完了状態を回転角度０°として、固定スクロール１に対する揺動スクロール２の相対位置および連通穴２ｎとの相関を、主軸４の回転角度０°と回転角度９０°とについて示した図、図３１は吸入完了状態を回転角度０°として、固定スクロール１に対する揺動スクロール２の相対位置および連通穴２ｎとの相関を、主軸４の回転角度１８０°と回転角度２７０°とについて示した図、図３２は吸入完了状態を回転角度０°として、固定スクロール１に対する揺動スクロール２の相対位置および連通穴２ｎとの相関を、主軸４の回転角度３６０°と回転角度４５０°とについて示した図、図３３は第一の室２０ａの圧力と主軸４の回転角度との関係を示す図である。
【０１８９】
図２６に示す実施の形態２のスクロール圧縮機３００は、実施の形態１のスクロール圧縮機１００と以下に示す点が異なる。その他の構成は、同一であるので、説明は省く。図２６のＢ部に以下の構成要素を備える。
（１）固定スクロール１の板状渦巻歯１ｂと揺動スクロール２の板状渦巻歯２ｂとの噛み合わせの渦巻（圧縮室１ｄ）内と、ボス部空間２ｈとを連通する連通穴２ｎと、連通穴２ｎに連通して渦巻（圧縮室１ｄ）に開口する逆止弁収納部２ｑとを設ける。
（２）正転運転時にその連通穴２ｎから渦巻内からボス部空間２ｈへ冷媒が流れ込まないように連通逆止弁２ｐを設ける。
【０１９０】
スクロール圧縮機３００は、台板部２ａに設けられる圧縮室１ｄ（第一の室２０ａ、最外周室）とボス部空間２ｈとを連通させる連通穴２ｋは設けない。
【０１９１】
図２７に示すように、揺動スクロール２の台板部２ａに、ボス部空間２ｈに連通する連通穴２ｎと、連通穴２ｎと連通して板状渦巻歯２ｂの間の空間に開口し、連通逆止弁２ｐを収納する逆止弁収納部２ｑとを備える。
【０１９２】
図２８に示すように、逆止弁収納部２ｑに連通逆止弁２ｐを収納する。連通逆止弁２ｐは、ボス部空間２ｈに連通する連通穴２ｎの逆止弁収納部２ｑ側の開口部を閉塞している。
【０１９３】
図２９に示すように、連通逆止弁２ｐは、逆止弁部２ｐ−１と、逆止弁部２ｐ−１を連通穴２ｎ側に付勢するバネ２ｐ−２とを備える。
【０１９４】
連通逆止弁２ｐは、ボス部空間２ｈの圧力と渦巻（圧縮室１ｄ）の圧力の差が、バネ２ｐ−２の力より大きくなると開き、ボス部空間２ｈと渦巻（圧縮室１ｄ）とが連通する。
【０１９５】
スクロール圧縮機３００の正転運転時は、ボス部空間２ｈの圧力が渦巻（圧縮室１ｄ）の圧力よりも大きいので、連通逆止弁２ｐは閉じた状態を維持する。
【０１９６】
図３０〜図３２に示すように、逆止弁収納部２ｑは、主軸４の回転角度０°を超えた所定の角度で第一の室２０ａに連通し、主軸４の回転角度２７０°超えた所定の角度まで連通する。
【０１９７】
スクロール圧縮機３００の逆転運転時は、上記の主軸４の回転角度０°を超えた所定の角度で第一の室２０ａに連通し、主軸４の回転角度２７０°超えた所定の角度において、膨張行程により第一の室２０ａの圧力がボス部空間２ｈの圧力よりも低くなるので、その差圧による力がバネ２ｐ−２の力を上回ると逆止弁部２ｐ−１が開き、ボス部空間２ｈと第一の室２０ａとが連通する。それにより、ボス部空間２ｈの圧力が下がる。これを繰り返すことにより、油だめ１０ｇの圧力（密閉容器１０内の圧力）よりボス部空間２ｈの圧力が低くなり、ボス部空間２ｈへの差圧給油が可能となる。
【０１９８】
実施の形態１の連通穴２ｋと、実施の形態２の固定スクロール１の板状渦巻歯１ｂと揺動スクロール２の板状渦巻歯２ｂとの噛み合わせの渦巻（圧縮室１ｄ）内と、ボス部空間２ｈとを連通する連通穴２ｎと、連通穴２ｎに連通して渦巻（圧縮室１ｄ）に開口する逆止弁収納部２ｑとを設け、正転運転時にその連通穴２ｎから渦巻内からボス部空間２ｈへ冷媒が流れ込まないように連通逆止弁２ｐを設ける構成とを比較すると、以下の点が相違する。
（１）実施の形態１の連通穴２ｋは、正転運転時に圧縮室１ｄの圧力が所定の値以上になると圧縮室１ｄからボス部空間２ｈに冷媒が流入するので、圧縮室１ｄとボス部空間２ｈとが連通する角度（主軸４の回転角度）に制限がある。それに対して、実施の形態２の連通逆止弁２ｐを用いる方法は、正転運転時に圧縮室１ｄの圧力が高くなっても、連通逆止弁２ｐで塞ぐためボス部空間２ｈへ冷媒が流入しない。従って、連通角度の自由度が実施の形態１より増す。
（２）実施の形態１の連通穴２ｋは、コンプライアントフレーム３のスラスト軸受３ａで連通穴２ｋを塞ぐ必要があるが、実施の形態２の連通逆止弁２ｐではその必要がない。
【０１９９】
上記の実施の形態１，２では、コンプライアントフレーム３を用いるスクロール圧縮機１００，３００について説明したが、コンプライアントフレーム３を用いないスクロール圧縮機にも適用することができる。
【符号の説明】
【０２００】
１  固定スクロール、１ａ  台板部、１ｂ  板状渦巻歯、１ｃ  オルダム案内溝、１ｄ  圧縮室、１ｆ  吐出ポート、１ｇ  吸入圧力空間、１ｈ  リリーフ穴、１ｋ  ボルト孔、１ｊ  位置決め用孔、２  揺動スクロール、２ａ  台板部、２ｂ  板状渦巻歯、２ｃ  揺動軸受、２ｄ  スラスト面、２ｅ  オルダム案内溝、２ｆ  ボス部、２ｇ  揺動軸受空間、２ｈ  ボス部空間、２ｊ  抽出孔、２ｋ  連通穴、２ｎ  連通穴、２ｐ  連通逆止弁、２ｐ−１  逆止弁部、２ｐ−２  バネ、２ｑ  逆止弁収納部、３  コンプライアントフレーム、３ａ  スラスト軸受、３ｃ  主軸受、３ｄ  上側円筒面、３ｅ  下側円筒面、３ｈ  副主軸受、３ｋ  開口部、３ｓ  連絡通路、４  主軸、４ｂ  揺動軸部、４ｃ  主軸部、４ｄ  副軸部、４ｅ  主軸バランサ、４ｆ  オイルパイプ、４ｇ  中空空間、６  サブフレーム、６ａ  副軸受、６ｂ  油孔、７  固定子、８  回転子、８ａ  上バランサ、８ｂ  下バランサ、８ｃ  エンドリング、９  オルダムリング、９ａ  揺動スクロール側爪、９ｃ  固定スクロール側爪、１０  密閉容器、１０ａ  吸入管、１０ｂ  吐出管、１０ｅ  冷凍機油、１０ｆ  ガラス端子、１０ｇ  油だめ、１０ｈ  流路、１５  ガイドフレーム、１５ａ  上側円筒面、１５ｂ  下側円筒面、１５ｃ  切り欠き部、１５ｆ  フレーム空間、１５ｇ  外周面、１５ｈ  シール溝、１５ｉ  シール溝、１６ａ  シール材、１６ｂ  シール材、１７  吸入逆止弁組立、１７ａ  吸入逆止弁、１７ｂ  バネ、１７ｄ  弁通路、１８  圧力調整弁、２０  電動機、２０ａ  第一の室、５０  リリーフ弁組立、５０ａ  リリーフ弁、５０ｂ  弁押え、１００  スクロール圧縮機、２００  空気調和機、２０１  室外機、２０２  室内機、２０４  四方弁、２０５  ガス管、２０６  室内熱交換器、２０７  液管、２０８  第２の減圧装置、２０９  中圧レシーバ、２１０  第１の減圧装置、２１１  室外熱交換器、２１４  ガス側バルブ、２１５  液側バルブ、２１６  ガス側接続部、２１７  液側接続部、２１８  吸入配管、３００  スクロール圧縮機。
【図１】
2011111969.tif 000003
【図２】
2011111969.tif 000004
【図３】
2011111969.tif 000005
【図４】
2011111969.tif 000006
【図５】
2011111969.tif 000007
【図６】
2011111969.tif 000008
【図７】
2011111969.tif 000009
【図８】
2011111969.tif 000010
【図９】
2011111969.tif 000011
【図１０】
2011111969.tif 000012
【図１１】
2011111969.tif 000013
【図１２】
2011111969.tif 000014
【図１３】
2011111969.tif 000015
【図１４】
2011111969.tif 000016
【図１５】
2011111969.tif 000017
【図１６】
2011111969.tif 000018
【図１７】
2011111969.tif 000019
【図１８】
2011111969.tif 000020
【図１９】
2011111969.tif 000021
【図２０】
2011111969.tif 000022
【図２１】
2011111969.tif 000023
【図２２】
2011111969.tif 000024
【図２３】
2011111969.tif 000025
【図２４】
2011111969.tif 000026
【図２５】
2011111969.tif 000027
【図２６】
2011111969.tif 000028
【図２７】
2011111969.tif 000029
【図２８】
2011111969.tif 000030
【図２９】
2011111969.tif 000031
【図３０】
2011111969.tif 000032
【図３１】
2011111969.tif 000033
【図３２】
2011111969.tif 000034
【図３３】
2011111969.tif 000035